【手続補正書】
【提出日】平成22年6月30日(2010.6.30)
【手続補正１】
【補正対象書類名】特許請求の範囲
【補正対象項目名】全文
【補正方法】変更
【補正の内容】
【特許請求の範囲】
【請求項１】
一対の電極間に、発光層とキャリアの移動を制御する層とを有し、
前記キャリアの移動を制御する層は、キャリア輸送性の第１の有機化合物と、前記第１の有機化合物のキャリア輸送性を低下させる第２の有機化合物とを含有し、前記第２の有機化合物は前記第１の有機化合物中に分散されていることを特徴とする発光素子。
【請求項２】
請求項１において、
前記キャリアは電子であり、
前記第１の有機化合物の最低空軌道準位と前記第２の有機化合物の最低空軌道準位との差は０．３ｅＶより小さいことを特徴とする発光素子。
【請求項３】
請求項１において、
前記キャリアは電子であり、
前記第１の有機化合物は、金属錯体であり、
前記第２の有機化合物は、芳香族アミン化合物であることを特徴とする発光素子。
【請求項４】
請求項１において、
前記キャリアは正孔であり、
前記第１の有機化合物の最高被占有軌道準位と前記第２の有機化合物の最高被占有軌道準位との差は０．３ｅＶより小さいことを特徴とする発光素子。
【請求項５】
請求項１において、
前記キャリアは正孔であり、
前記第１の有機化合物は、芳香族アミン化合物であり、
前記第２の有機化合物は、金属錯体であることを特徴とする発光素子。
【請求項６】
第１の電極と第２の電極との間に、発光層とキャリアの移動を制御する２つの層とを有し、
前記キャリアの移動を制御する一方の層は前記発光層と前記第２の電極との間、前記キャリアの移動を制御する他方の層は前記発光層と前記第１の電極との間に、それぞれ設けられており、
前記キャリアの移動を制御する一方の層は、キャリア輸送性の第１の有機化合物と、前記第１の有機化合物のキャリア輸送性を低下させる第２の有機化合物とを含有し、前記第２の有機化合物は前記第１の有機化合物中に分散されており、
前記キャリアの移動を制御する他方の層は、キャリア輸送性の第１’の有機化合物と、前記第１’の有機化合物のキャリア輸送性を低下させる第２’の有機化合物とを含有し、前記第２’の有機化合物は前記第１’の有機化合物中に分散されており、
かつ前記一方の層におけるキャリア輸送性は、前記他方の層における前記キャリア輸送性とは異なるものであることを特徴とする発光素子。
【請求項７】
一対の電極間に、発光層とキャリアの移動を制御する層とを有し、
前記キャリアの移動を制御する層は、第１の有機化合物と第２の有機化合物とを含み、
前記第１の有機化合物と前記第２の有機化合物のキャリア輸送の極性が異なることを特徴とする発光素子。
【請求項８】
一対の電極間に、発光層とキャリアの移動を制御する層とを有し、
前記キャリアの移動を制御する層は、第１の有機化合物と第２の有機化合物とを含み
前記第１の有機化合物は、電子輸送性の有機化合物であり、
前記第２の有機化合物は、正孔輸送性の有機化合物であることを特徴とする発光素子。
【請求項９】
第１の電極と第２の電極との間に、発光層とキャリアの移動を制御する層とを有し、
前記キャリアの移動を制御する層は、前記発光層と前記第２の電極との間に設けられており、
前記キャリアの移動を制御する層は、第１の有機化合物と第２の有機化合物とを含み、  前記第１の有機化合物は、電子輸送性の有機化合物であり、
前記第２の有機化合物は、正孔輸送性の有機化合物であり、
前記キャリアの移動を制御する層において、前記第２の有機化合物よりも前記第１の有機化合物が多く含まれており、
前記第１の電極の電位が前記第２の電極の電位よりも高くなるように電圧を印加することにより、前記発光層からの発光が得られることを特徴とする発光素子。
【請求項１０】
請求項９において、
前記第１の有機化合物の最低空軌道準位と前記第２の有機化合物の最低空軌道準位との差は０．３ｅＶより小さいことを特徴とする発光素子。
【請求項１１】
請求項９において、
前記第１の有機化合物は、金属錯体であり、
前記第２の有機化合物は、芳香族アミン化合物であることを特徴とする発光素子。
【請求項１２】
請求項９ないし請求項１１のいずれか１項において、
前記発光層は、電子輸送性であることを特徴とする発光素子。
【請求項１３】
請求項９ないし請求項１１のいずれか１項において、
前記発光層は、第３の有機化合物と第４の有機化合物とを有し、
前記第３の有機化合物は、前記第４の有機化合物よりも多く含まれており、
前記第３の有機化合物は電子輸送性であることを特徴とする発光素子。
【請求項１４】
請求項１３において、前記第１の有機化合物と前記第３の有機化合物とは異なる有機化合物であることを特徴とする発光素子。
【請求項１５】
第１の電極と第２の電極との間に、発光層とキャリアの移動を制御する層とを有し、
前記キャリアの移動を制御する層は、前記発光層と前記第１の電極との間に設けられており、
前記キャリアの移動を制御する層は、第１の有機化合物と第２の有機化合物とを含み、
前記第１の有機化合物は、正孔輸送性の有機化合物であり、
前記第２の有機化合物は、電子輸送性の有機化合物であり、
前記キャリアの移動を制御する層において、前記第２の有機化合物よりも前記第１の有機化合物が多く含まれており、
前記第１の電極の電位が前記第２の電極の電位よりも高くなるように電圧を印加することにより、前記発光層からの発光が得られることを特徴とする発光素子。
【請求項１６】
請求項１５において、
前記第１の有機化合物の最高被占有軌道準位と前記第２の有機化合物の最高被占有軌道準位との差は０．３ｅＶより小さいことを特徴とする発光素子。
【請求項１７】
請求項１５において、
前記第１の有機化合物は、芳香族アミン化合物であり、
前記第２の有機化合物は、金属錯体であることを特徴とする発光素子。
【請求項１８】
請求項１５ないし請求項１７のいずれか１項において、
前記発光層は、正孔輸送性であることを特徴とする発光素子。
【請求項１９】
請求項１５ないし請求項１７のいずれか１項において、
前記発光層は、第３の有機化合物と第４の有機化合物とを有し、
前記第３の有機化合物は、前記第４の有機化合物よりも多く含まれており、
前記第３の有機化合物は正孔輸送性であることを特徴とする発光素子。
【請求項２０】
請求項１９において、前記第１の有機化合物と前記第３の有機化合物とは異なる有機化合物であることを特徴とする発光素子。
【請求項２１】
第１の電極と第２の電極との間に、発光層とキャリアの移動を制御する２つの層とを有し、
前記キャリアの移動を制御する一方の層は前記発光層と前記第２の電極との間、前記キャリアの移動を制御する他方の層は前記発光層と前記第１の電極との間に、それぞれ設けられており、
前記キャリアの移動を制御する一方の層は、第１の有機化合物と第２の有機化合物とを含み、
前記第１の有機化合物は、電子輸送性の有機化合物であり、
前記第２の有機化合物は、正孔輸送性の有機化合物であり、
前記キャリアの移動を制御する一方の層において、前記第２の有機化合物よりも前記第１の有機化合物が多く含まれており、
前記キャリアの移動を制御する他方の層は、第１’の有機化合物と第２’の有機化合物とを含み、
前記第１’の有機化合物は、正孔輸送性の有機化合物であり、
前記第２’の有機化合物は、電子輸送性の有機化合物であり、
前記キャリアの移動を制御する他方の層において、前記第２’の有機化合物よりも前記第１’の有機化合物が多く含まれており、
前記第１の電極の電位が前記第２の電極の電位よりも高くなるように電圧を印加することにより、前記発光層からの発光が得られることを特徴とする発光素子。
【請求項２２】
一対の電極間に、発光層とキャリアの移動を制御する層とを有し、
前記キャリアの移動を制御する層は、第１の有機化合物と第２の有機化合物とを含み、  前記第１の有機化合物の双極子モーメントをＰ1、前記第２の有機化合物の双極子モーメントをＰ2とすると、Ｐ1／Ｐ2≧３またはＰ1／Ｐ2≦０．３３の関係を満たすことを特徴とする発光素子。
【請求項２３】
第１の電極と第２の電極との間に、発光層とキャリアの移動を制御する層とを有し、
前記キャリアの移動を制御する層は、前記発光層と前記第２の電極との間に設けられており、
前記キャリアの移動を制御する層は、第１の有機化合物と第２の有機化合物とを含み、
前記第１の有機化合物の双極子モーメントをＰ1、前記第２の有機化合物の双極子モーメントをＰ2とすると、Ｐ1／Ｐ2≧３であり、
前記キャリアの移動を制御する層において、前記第２の有機化合物よりも前記第１の有機化合物が多く含まれており、
前記第１の電極の電位が前記第２の電極の電位よりも高くなるように電圧を印加することにより、前記発光層からの発光が得られることを特徴とする発光素子。
【請求項２４】
請求項２３において、
前記第１の有機化合物の最低空軌道準位と前記第２の有機化合物の最低空軌道準位との差は０．３ｅＶより小さいことを特徴とする発光素子。
【請求項２５】
請求項２３において、
前記第１の有機化合物は、金属錯体であり、
前記第２の有機化合物は、芳香族アミン化合物であることを特徴とする発光素子。
【請求項２６】
請求項２３ないし請求項２５のいずれか１項において、
前記発光層は、電子輸送性であることを特徴とする発光素子。
【請求項２７】
請求項２３ないし請求項２５のいずれか１項において、
前記発光層は、第３の有機化合物と第４の有機化合物とを有し、
前記第３の有機化合物は、前記第４の有機化合物よりも多く含まれており、
前記第３の有機化合物は電子輸送性であることを特徴とする発光素子。
【請求項２８】
請求項２７において、前記第１の有機化合物と前記第３の有機化合物とは異なる有機化合物であることを特徴とする発光素子。
【請求項２９】
第１の電極と第２の電極との間に、発光層とキャリアの移動を制御する層とを有し、
前記キャリアの移動を制御する層は、前記発光層と前記第１の電極との間に設けられており、
前記キャリアの移動を制御する層は、第１の有機化合物と第２の有機化合物とを含み、  前記第１の有機化合物の双極子モーメントをＰ1、前記第２の有機化合物の双極子モーメントをＰ2とすると、Ｐ1／Ｐ2≦０．３３であり、
前記キャリアの移動を制御する層において、前記第２の有機化合物よりも前記第１の有機化合物が多く含まれており、
前記第１の電極の電位が前記第２の電極の電位よりも高くなるように電圧を印加することにより、前記発光層からの発光が得られることを特徴とする発光素子。
【請求項３０】
請求項２９において、
前記第１の有機化合物の最高被占有軌道準位と前記第２の有機化合物の最高被占有軌道準位との差は０．３ｅＶより小さいことを特徴とする発光素子。
【請求項３１】
請求項２９において、
前記第１の有機化合物は、芳香族アミン化合物であり、
前記第２の有機化合物は、金属錯体であることを特徴とする発光素子。
【請求項３２】
請求項２９ないし請求項３１のいずれか１項において、
前記発光層は、正孔輸送性であることを特徴とする発光素子。
【請求項３３】
請求項２９ないし請求項３１のいずれか１項において、
前記発光層は、第３の有機化合物と第４の有機化合物とを有し、
前記第３の有機化合物は、前記第４の有機化合物よりも多く含まれており、
前記第３の有機化合物は正孔輸送性であることを特徴とする発光素子。
【請求項３４】
請求項３３において、前記第１の有機化合物と前記第３の有機化合物とは異なる有機化合物であることを特徴とする発光素子。
【請求項３５】
第１の電極と第２の電極との間に、発光層とキャリアの移動を制御する２つの層とを有し、
前記キャリアの移動を制御する一方の層は前記発光層と前記第２の電極との間、前記キャリアの移動を制御する他方の層は前記発光層と前記第１の電極との間に、それぞれ設けられており、
前記キャリアの移動を制御する一方の層は、第１の有機化合物と第２の有機化合物とを含み、
前記第１の有機化合物の双極子モーメントをＰ1、前記第２の有機化合物の双極子モーメントをＰ2とすると、Ｐ1／Ｐ2≧３であり、
前記キャリアの移動を制御する一方の層において、前記第２の有機化合物よりも前記第１の有機化合物が多く含まれており、
前記キャリアの移動を制御する他方の層は、第１’の有機化合物と第２’の有機化合物とを含み、
前記第１’の有機化合物の双極子モーメントをＰ’1、前記第２’の有機化合物の双極子モーメントをＰ’2とすると、Ｐ’1／Ｐ’2≦０．３３であり、
前記キャリアの移動を制御する他方の層において、前記第２’の有機化合物よりも前記第１’の有機化合物が多く含まれており、
前記第１の電極の電位が前記第２の電極の電位よりも高くなるように電圧を印加することにより、前記発光層からの発光が得られることを特徴とする発光素子。
【請求項３６】
請求項１ないし請求項３５のいずれか１項において、
前記キャリアの移動を制御する層の膜厚は、５ｎｍ以上２０ｎｍ以下であることを特徴とする発光素子。
【請求項３７】
請求項１ないし請求項３６のいずれか１項において、
前記キャリアの移動を制御する層と前記発光層とは接するように設けられていることを特徴とする発光素子。
【請求項３８】
請求項１ないし請求項３７のいずれか１項に記載の発光素子と、前記発光素子の発光を制御する制御手段とを有する発光装置。
【請求項３９】
表示部を有し、
前記表示部は、請求項１ないし請求項３７のいずれか１項に記載の発光素子と前記発光素子の発光を制御する制御手段とを備えたことを特徴とする電子機器。